(57)【要約】【課題】消費電力を節約して複数の放送の間で時間的空白を抑制して受信の切り換えを実行する。【解決手段】フルセグメント方式の第１のデジタル放送のトランスポートストリーム(ＴＳ)とワンセグメント方式の第２のデジタル放送のＴＳとが供給される放送受信機は、パケット抽出部１１４、１１６とパケット取得間隔判定部１１５、１１７、１１８とを具備する。パケット抽出部は、第１と第２のデジタル放送のＴＳに含まれる第１と第２の特定のパケットを取得する。パケット取得間隔測定部は、第１と第２の特定のパケットの第１と第２の取得間隔を測定する。第１の取得間隔が第１の基準間隔より長いと判定されると、第１から第２に視聴対象のデジタル放送が切り換えられる。第１の取得間隔が第１の基準間隔よりも短いと判定されると、第２から第１に視聴対象のデジタル放送が切り換えられる。【選択図】図１
2010283479.tif 000002
【特許請求の範囲】
【請求項１】
フルセグメント方式の第１のデジタル放送のトランスポートストリームとワンセグメント方式の第２のデジタル放送のトランスポートストリームとが供給される放送受信機であって、
前記放送受信機は、パケット抽出部とパケット取得間隔判定部とを具備して、
前記パケット抽出部は、前記第１のデジタル放送のトランスポートストリームに含まれる第１の特定のパケットを取得可能とされ、前記第２のデジタル放送のトランスポートストリームに含まれる第２の特定のパケットを取得可能とされ、
前記パケット取得間隔測定部は、前記パケット抽出部によって取得される第１の特定のパケットの第１の取得間隔を測定可能とされ、前記パケット抽出部によって取得される第２の特定のパケットの第２の取得間隔を測定可能とされ、
前記パケット取得間隔判定部によって測定される前記第１の取得間隔が第１の基準間隔よりも長いと判定されると、視聴対象のフルセグメント方式の前記第１のデジタル放送からワンセグメント方式の前記第２のデジタル放送への切り換えが実行され、
前記パケット取得間隔判定部によって測定される前記第１の取得間隔が前記第１の基準間隔よりも短いと判定されると、視聴対象のワンセグメント方式の前記第２のデジタル放送からフルセグメント方式の前記第１のデジタル放送への切り換えが実行されることを特徴とする放送受信機。
【請求項２】
前記パケット取得間隔判定部によって測定される前記第１の取得間隔が第１の基準間隔よりも長いと判定されるとともに前記パケット取得間隔判定部によって測定される前記第２の取得間隔が第２の基準間隔よりも短いと判定されると、視聴対象のフルセグメント方式の前記第１のデジタル放送からワンセグメント方式の前記第２のデジタル放送への切り換えが実行されることを特徴とする請求項１に記載の放送受信機。
【請求項３】
前記視聴対象のフルセグメント方式の前記第１のデジタル放送からワンセグメント方式の前記第２のデジタル放送への切り換えが実行された後、前記パケット取得間隔判定部によって測定される前記第２の取得間隔が第２の基準間隔より長いと判定されても、前記視聴対象がワンセグメント方式の前記第２のデジタル放送に維持されることを特徴とするものである請求項２に記載の放送受信機。
【請求項４】
前記視聴対象のフルセグメント方式の前記第１のデジタル放送からワンセグメント方式の前記第２のデジタル放送への切り換えが実行された後、前記パケット取得間隔判定部によって測定される前記第１の取得間隔が前記第１の基準間隔より短いと判定されると、前記視聴対象のワンセグメント方式の前記第２のデジタル放送からフルセグメント方式の前記第１のデジタル放送への切り換えが実行されることを特徴とする請求項３に記載の放送受信機。
【請求項５】
前記第１の取得間隔は前記第２の基準間隔よりも短いことを特徴とする請求項４に記載の放送受信機。
【請求項６】
前記第１の特定のパケットと前記第２の特定のパケットとは、番組マッピィングテーブル、番組特定情報、番組関連テーブル、ネットワーク情報テーブル、番組基準クロックのいずれかであることを特徴とする請求項５に記載の放送受信機。
【請求項７】
フルセグメント方式の前記第１のデジタル放送の前記トランスポートストリームとワンセグメント方式の前記第２のデジタル放送の前記トランスポートストリームとは、映像エレメンタリーストリームと音声エレメンタリーストリームとを含むものであり、
映像復号部と音声復号部とを更に具備して、
前記映像復号部は前記映像エレメンタリーストリームを含む映像データを復号する一方、前記音声復号部は前記音声エレメンタリーストリームを含む音声データを復号することを特徴とする請求項１乃至請求項６のいずれかに記載の放送受信機。
【請求項８】
フルセグメント方式の第１のデジタル放送のトランスポートストリームとワンセグメント方式の第２のデジタル放送のトランスポートストリームとが供給される放送受信機の動作方法であって、
前記放送受信機は、パケット抽出部とパケット取得間隔判定部とを具備して、
前記パケット抽出部は、前記第１のデジタル放送のトランスポートストリームに含まれる第１の特定のパケットを取得可能とされ、前記第２のデジタル放送のトランスポートストリームに含まれる第２の特定のパケットを取得可能とされ、
前記パケット取得間隔測定部は、前記パケット抽出部によって取得される第１の特定のパケットの第１の取得間隔を測定可能とされ、前記パケット抽出部によって取得される第２の特定のパケットの第２の取得間隔を測定可能とされ、
前記パケット取得間隔判定部によって測定される前記第１の取得間隔が第１の基準間隔よりも長いと判定されると、視聴対象がフルセグメント方式の前記第１のデジタル放送からワンセグメント方式の前記第２のデジタル放送への切り換えが実行され、
前記パケット取得間隔判定部によって測定される前記第１の取得間隔が前記第１の基準間隔よりも短いと判定されると、視聴対象のワンセグメント方式の前記第２のデジタル放送からフルセグメント方式の前記第１のデジタル放送への切り換えが実行されることを特徴とする放送受信機の動作方法。
【請求項９】
前記パケット取得間隔判定部によって測定される前記第１の取得間隔が第１の基準間隔よりも長いと判定されるとともに前記パケット取得間隔判定部によって測定される前記第２の取得間隔が第２の基準間隔よりも短いと判定されると、視聴対象のフルセグメント方式の前記第１のデジタル放送からワンセグメント方式の前記第２のデジタル放送への切り換えが実行されることを特徴とする請求項８に記載の放送受信機の動作方法。
【請求項１０】
前記視聴対象のフルセグメント方式の前記第１のデジタル放送からワンセグメント方式の前記第２のデジタル放送への切り換えが実行された後、前記パケット取得間隔判定部によって測定される前記第２の取得間隔が第２の基準間隔より長いと判定されても、前記視聴対象がワンセグメント方式の前記第２のデジタル放送に維持されることを特徴とするものである請求項９に記載の放送受信機の動作方法。
【請求項１１】
前記視聴対象のフルセグメント方式の前記第１のデジタル放送からワンセグメント方式の前記第２のデジタル放送への切り換えが実行された後、前記パケット取得間隔判定部によって測定される前記第１の取得間隔が前記第１の基準間隔より短いと判定されると、前記視聴対象のワンセグメント方式の前記第２のデジタル放送からフルセグメント方式の前記第１のデジタル放送への切り換えが実行されることを特徴とする請求項１０に記載の放送受信機の動作方法。
【請求項１２】
前記第１の取得間隔は前記第２の基準間隔よりも短いことを特徴とする請求項１１に記載の放送受信機の動作方法。
【請求項１３】
前記第１の特定のパケットと前記第２の特定のパケットとは、番組マッピィングテーブル、番組特定情報、番組関連テーブル、ネットワーク情報テーブル、番組基準クロックのいずれかであることを特徴とする請求項１２に記載の放送受信機の動作方法。
【請求項１４】
フルセグメント方式の前記第１のデジタル放送の前記トランスポートストリームとワンセグメント方式の前記第２のデジタル放送の前記トランスポートストリームとは、映像エレメンタリーストリームと音声エレメンタリーストリームとを含むものであり、
映像復号部と音声復号部とを更に具備して、
前記映像復号部は前記映像エレメンタリーストリームを含む映像データを復号する一方、前記音声復号部は前記音声エレメンタリーストリームを含む音声データを復号することを特徴とする請求項８乃至請求項１３のいずれかに記載の放送受信機の動作方法。
【発明の詳細な説明】
【技術分野】
【０００１】
本発明は、デジタル放送受信機およびその動作方法に関し、特に消費電力を節約するとともに複数の放送の間で時間的空白を抑制しながら受信の切り換えを実行するのに有効な技術に関するものである。
【背景技術】
【０００２】
携帯電話向けの放送データ(ワンセグメント所謂ワンセグの放送データ)を、受信再生処理するための従来の機器においては、１つの送出放送局の１つの動画像トランスポートストリームＭＰＥＧ−２＿ＴＳを受信してＴＳパケットを解釈して再生処理を行うものである。ワンセグのサービスの性質上、様々な情報を最小限に制限した送出運用が規定されているが、その反面、受信時の外乱に強いセグメント割り当ておよび変調方式等が採用されている。また、ワンセグより以前から有る放送サービスである家庭用テレビ受像機向けの放送データ(フルセグメント所謂フルセグの放送データ)は、主な対象が据え置きの固定受信機であるため、放送波受信時における電波外乱に比較的弱いが、送出情報量は大容量となっており、画像サイズ、フレームレートも高いレベルのものとなっている。
【０００３】
移動体に搭載可能な地上波デジタルテレビ受信機に関して、下記特許文献１には受信した物理チャンネルの品質に応じて携帯受信階層の「強階層」と固定受信階層の「中階層」と移動受信階層の「弱階層」とから受信状態の良好な物理チャンネルをチャンネルリストに登録することが記載されている。「強階層」の携帯受信階層は携帯電話向けの放送データ(ワンセグメント所謂ワンセグの放送データ)を伝送するための階層、「中階層」の固定受信階層は家庭用テレビ受像機向けの放送データ(フルセグメント所謂フルセグの放送データ)を伝送するための階層、「弱階層」の移動受信階層は車両等の移動体に搭載されるテレビ受像機向けの放送データ(所謂フルセグの放送データ)を伝送するための階層である。
【先行技術文献】
【特許文献】
【０００４】
【特許文献１】特開２００８−１１３１５号  公報
【発明の概要】
【発明が解決しようとする課題】
【０００５】
元来モバイル機向けのサービスとして提供されているワンセグ(部分受信階層サービス)地上デジタル放送の移動中のモバイル機器による受信と比較して、フルセグ(固定受信階層サービス)地上デジタル放送を移動中のモバイル機器によって受信する場合には、受信不良が発生しやすい状況となる。
【０００６】
この問題を解決するために本発明者等は本発明に先立って、移動中のモバイル機器により受信される放送受信が全く途切れてしまうことのないように、ワンセグ受信とフルセグ受信とを並列動作させて、受信状態の良好などちらか一方を選択して、映像・音声を再生する方式を検討した。しかしながらこの方式では２つの受信・再生系回路が並列動作するので、通常よりも大きな消費電力が消費されると言う問題が本発明者等による検討によって明らかとされた。
【０００７】
しかしながら、一方で受信不良が発生してから他方に切り換える方式では、他方への切り換え以前に一方での受信の不良または受信の中断が発生すると言う問題が本発明者等による検討によって明らかとされた。従って、この切り換わり区間で時間的空白が発生して、視聴者の不快感を生じるものとなる。
【０００８】
本発明は、以上のような本発明に先立った本発明者等による検討の結果、なされたものである。
【０００９】
従って、本発明の目的とするところは、消費電力を節約するとともに複数の放送の間で時間的空白を抑制しながら受信の切り換えを実行することにある。
【００１０】
本発明の前記ならびにその他の目的と新規な特徴は、本明細書の記述および添付図面から明らかになるであろう。
【課題を解決するための手段】
【００１１】
本願において開示される発明のうちの代表的なものについて簡単に説明すれば下記のとおりである。
【００１２】
すなわち、本発明の代表的な実施の形態は、フルセグメント方式の第１のデジタル放送のトランスポートストリームとワンセグメント方式の第２のデジタル放送のトランスポートストリームとが供給される放送受信機である。
【００１３】
前記放送受信機は、パケット抽出部(１１４、１１６)とパケット取得間隔判定部(１１５、１１７、１１８)とを具備する。
【００１４】
前記パケット抽出部(１１４、１１６)は、前記第１のデジタル放送のトランスポートストリームに含まれる第１の特定のパケットを取得可能とされ、前記第２のデジタル放送のトランスポートストリームに含まれる第２の特定のパケットを取得可能とされる。
【００１５】
前記パケット取得間隔測定部(１１５、１１７)は、前記パケット抽出部(１１４、１１６)によって取得される第１の特定のパケットの第１の取得間隔を測定可能とされ、前記パケット抽出部(１１４、１１６)によって取得される第２の特定のパケットの第２の取得間隔を測定可能とされる(図１参照)。
【００１６】
前記パケット取得間隔判定部によって測定される前記第１の取得間隔が第１の基準間隔よりも長いと判定されると、視聴対象のフルセグメント方式の前記第１のデジタル放送からワンセグメント方式の前記第２のデジタル放送への切り換えが実行される(図２：６０９、６１０参照)。
【００１７】
前記パケット取得間隔判定部によって測定される前記第１の取得間隔が前記第１の基準間隔よりも短いと判定されると、視聴対象のワンセグメント方式の前記第２のデジタル放送からフルセグメント方式の前記第１のデジタル放送への切り換えが実行されることを特徴とするものである(図２：６１６、６１７参照)。
するものである。
【発明の効果】
【００１８】
本願において開示される発明のうち代表的なものによって得られる効果を簡単に説明すれば下記の通りである。
【００１９】
すなわち、本発明によれば、消費電力を節約するとともに複数の放送の間で時間的空白を抑制しながら受信の切り換えを実行することができる。
【図面の簡単な説明】
【００２０】
【図１】図１は、本発明の実施の形態１による放送受信機の構成を示す図である。
【図２】図２は、図１に示した本発明の実施の形態１による放送受信機で実行されるフルセグ／ワンセグ放送受信の自動切り換え動作のフローを説明する図である。
【図３】図３は、図１に示した本発明の実施の形態１による放送受信機で実行されるフルセグ／ワンセグ放送受信の他の自動切り換え動作のフローを説明する図である。
【図４】図４は、図３に示した本発明の実施の形態１による他の自動切り換え動作での監視対象の特定パケットとしての一例である番組マッピィングテーブル(ＰＭＴ)の受信状況と取得間隔の更新の様子を示す図である。
【図５】図５は、本発明の実施の形態２による他の放送受信機の構成を示す図である。
【図６】図６は、図３と図４に示す本発明の実施の形態１で監視対象の特定パケットを番組マッピィングテーブル(ＰＭＴ)とした場合の視聴対象をフルセグ放送とワンセグ放送との間で切り換える様子を示す図である。
【発明を実施するための形態】
【００２１】
１．実施の形態の概要
まず、本願において開示される発明の代表的な実施の形態について概要を説明する。代表的な実施の形態についての概要説明で括弧を付して参照する図面の参照符号はそれが付された構成要素の概念に含まれるものを例示するに過ぎない。
【００２２】
〔１〕本発明の代表的な実施の形態は、フルセグメント方式の第１のデジタル放送のトランスポートストリームとワンセグメント方式の第２のデジタル放送のトランスポートストリームとが供給される放送受信機である。
【００２３】
前記放送受信機は、パケット抽出部(１１４、１１６)とパケット取得間隔判定部(１１５、１１７、１１８)とを具備する。
【００２４】
前記パケット抽出部(１１４、１１６)は、前記第１のデジタル放送のトランスポートストリームに含まれる第１の特定のパケットを取得可能とされ、前記第２のデジタル放送のトランスポートストリームに含まれる第２の特定のパケットを取得可能とされる。
【００２５】
前記パケット取得間隔測定部(１１５、１１７)は、前記パケット抽出部(１１４、１１６)によって取得される第１の特定のパケットの第１の取得間隔を測定可能とされ、前記パケット抽出部(１１４、１１６)によって取得される第２の特定のパケットの第２の取得間隔を測定可能とされる(図１参照)。
【００２６】
前記パケット取得間隔判定部によって測定される前記第１の取得間隔が第１の基準間隔よりも長いと判定されると、視聴対象のフルセグメント方式の前記第１のデジタル放送からワンセグメント方式の前記第２のデジタル放送への切り換えが実行される(図２：６０９、６１０参照)。
【００２７】
前記パケット取得間隔判定部によって測定される前記第１の取得間隔が前記第１の基準間隔よりも短いと判定されると、視聴対象のワンセグメント方式の前記第２のデジタル放送からフルセグメント方式の前記第１のデジタル放送への切り換えが実行されることを特徴とするものである(図２：６１６、６１７参照)。
【００２８】
前記実施の形態によれば、消費電力を節約するとともに複数の放送の間で時間的空白を抑制しながら受信の切り換えを実行することができる。
【００２９】
好適な実施の形態は、前記パケット取得間隔判定部によって測定される前記第１の取得間隔が第１の基準間隔よりも長いと判定されるとともに前記パケット取得間隔判定部によって測定される前記第２の取得間隔が第２の基準間隔よりも短いと判定されると、視聴対象のフルセグメント方式の前記第１のデジタル放送からワンセグメント方式の前記第２のデジタル放送への切り換えが実行されることを特徴とするものである(図６(Ａ)参照)。
【００３０】
他の好適な実施の形態は、前記視聴対象のフルセグメント方式の前記第１のデジタル放送からワンセグメント方式の前記第２のデジタル放送への切り換えが実行された後、前記パケット取得間隔判定部によって測定される前記第２の取得間隔が第２の基準間隔より長いと判定されても、前記視聴対象がワンセグメント方式の前記第２のデジタル放送に維持されることを特徴とするものである(図６(Ｂ)参照)。
【００３１】
より好適な実施の形態は、前記視聴対象のフルセグメント方式の前記第１のデジタル放送からワンセグメント方式の前記第２のデジタル放送への切り換えが実行された後、前記パケット取得間隔判定部によって測定される前記第１の取得間隔が前記第１の基準間隔より短いと判定されると、前記視聴対象のワンセグメント方式の前記第２のデジタル放送からフルセグメント方式の前記第１のデジタル放送への切り換えが実行されることを特徴とするものである(図６(Ｃ)参照)。
【００３２】
他のより好適な実施の形態では、前記第１の取得間隔は前記第２の基準間隔よりも短いことを特徴とするものである(図６(Ａ)、(Ｂ)、(Ｃ)参照)。
【００３３】
具体的な実施の形態は、前記第１の特定のパケットと前記第２の特定のパケットとは、番組マッピィングテーブル(ＰＭＴ)、番組特定情報(ＰＳＩ)、番組関連テーブル(ＰＡＴ)、ネットワーク情報テーブル(ＮＩＴ)、番組基準クロック(ＰＣＲ)のいずれかであることを特徴とするものである。
【００３４】
最も具体的な実施の形態では、フルセグメント方式の前記第１のデジタル放送の前記トランスポートストリームとワンセグメント方式の前記第２のデジタル放送の前記トランスポートストリームとは、映像エレメンタリーストリーム(ＶＥＳ)と音声エレメンタリーストリーム(ＡＥＳ)とを含むものである。
【００３５】
前記放送受信機は、映像復号部(１０８)と音声復号部(１１０)とを更に具備する。
【００３６】
前記映像復号部(１０８)は前記映像エレメンタリーストリーム(ＶＥＳ)を含む映像データを復号する一方、前記音声復号部(１１０)は前記音声エレメンタリーストリーム(ＡＥＳ)を含む音声データを復号することを特徴とするものである(図１参照)。
【００３７】
〔２〕本発明の別の観点の代表的な実施の形態は、フルセグメント方式の第１のデジタル放送のトランスポートストリームとワンセグメント方式の第２のデジタル放送のトランスポートストリームとが供給される放送受信機の動作方法である。
【００３８】
前記放送受信機は、パケット抽出部(１１４、１１６)とパケット取得間隔判定部(１１５、１１７、１１８)とを具備する。
【００３９】
前記パケット抽出部(１１４、１１６)は、前記第１のデジタル放送のトランスポートストリームに含まれる第１の特定のパケットを取得可能とされ、前記第２のデジタル放送のトランスポートストリームに含まれる第２の特定のパケットを取得可能とされる。
【００４０】
前記パケット取得間隔測定部(１１５、１１７)は、前記パケット抽出部(１１４、１１６)によって取得される第１の特定のパケットの第１の取得間隔を測定可能とされ、前記パケット抽出部(１１４、１１６)によって取得される第２の特定のパケットの第２の取得間隔を測定可能とされる(図１参照)。
【００４１】
前記パケット取得間隔判定部によって測定される前記第１の取得間隔が第１の基準間隔よりも短いと判定されると、視聴対象のフルセグメント方式の前記第１のデジタル放送からワンセグメント方式の前記第２のデジタル放送への切り換えが実行される(図２：６０９、６１０参照)。
【００４２】
前記パケット取得間隔判定部によって測定される前記第１の取得間隔が前記第１の基準間隔よりも長いと判定されると、視聴対象のワンセグメント方式の前記第２のデジタル放送からフルセグメント方式の前記第１のデジタル放送への切り換えが実行されることを特徴とするものである(図２：６１６、６１７参照)。
【００４３】
前記実施の形態によれば、消費電力を節約するとともに複数の放送の間で時間的空白を抑制しながら受信の切り換えを実行することができる。
【００４４】
２．実施の形態の詳細
次に、実施の形態について更に詳述する。尚、発明を実施するための最良の形態を説明するための全図において、前記の図と同一の機能を有する部品には同一の符号を付して、その繰り返しの説明は省略する。
【００４５】
〔実施の形態１〕
《放送受信機の構成》
図１は、本発明の実施の形態１による放送受信機の構成を示す図である。
【００４６】
図１に示す放送受信機は、携帯電話端末に搭載されるテレビ放送受信機であり、放送受信用アンテナ１０３、放送選局部１０４、制御部１０１、記憶部１０５、操作部１０２、映像復号部１０８、表示部１０９、音声復号部１１０、音声出力部１１１から構成されている。
【００４７】
また制御部１０１は、ワンセグ特定パケット分離部１１４、ワンセグ特定パケット取得間隔測定部１１５、フルセグ特定パケット分離部１１６、フルセグ特定パケット取得間隔測定部１１７、視聴対象ＡＶパケット分離部１０６、視聴対象切り換え制御部１１３、受信状況判定部１１８を含んでいる。
【００４８】
放送受信用アンテナ１０３と放送選局部１０４によって、ワンセグ(部分受信階層サービス)地上デジタル放送のＲＦ信号とフルセグ(固定受信階層サービス)地上デジタル放送のＲＦ信号とが受信される。従って、放送選局部１０４の出力から生成されるトランスポートストリーム(ＴＳ：Transport Stream)の受信データは、制御部１０１の内部のワンセグ特定パケット分離部１１４の入力とフルセグ特定パケット分離部１１６の入力に供給される。ワンセグ特定パケット分離部１１４は放送選局部１０４の出力のＴＳ受信データからワンセグ放送の特定のパケットを選別する一方、フルセグ特定パケット分離部１１６は放送選局部１０４の出力のＴＳ受信データからフルセグ放送の特定のパケットを選別する。
【００４９】
ワンセグ特定パケット分離部１１４で取得されたワンセグ放送のＴＳ受信データに含まれる特定のパケットの受信取得間隔をワンセグ特定パケット取得間隔測定部１１５が測定する一方、同様にフルセグ特定パケット分離部１１６で取得されたフルセグ放送のＴＳ受信データに含まれる特定のパケットの受信取得間隔をフルセグ特定パケット取得間隔測定部１１７が測定する。
【００５０】
また受信状況判定部１１８はワンセグ特定パケット取得間隔測定部１１５の出力からのワンセグ取得間隔およびフルセグ特定パケット取得間隔測定部１１７の出力からのフルセグ取得間隔と事前に設定された間隔しきい値の比較を実行することによって、ワンセグ放送の受信状況の良否とフルセグ放送の受信状況の良否とを判断する。受信状況判定部１１８の出力からフルセグ放送の受信状況が不良でワンセグ放送の受信状況が良好との判定情報が得られている場合には、視聴対象切り換え制御部１１３は視聴対象として受信状況が良好なワンセグ放送を選択する。一方、受信状況判定部１１８の出力からフルセグ放送の受信状況が良好との判定情報が得られている場合には、ワンセグ放送の受信状況の良否と無関係に、視聴対象切り換え制御部１１３は視聴対象として受信状況が良好なフルセグ放送を選択する。
【００５１】
視聴対象ＡＶパケット分離部１０６の信号入力端子には、放送選局部１０４の出力のＴＳ受信データからワンセグ放送およびフルセグ放送のパケット化エレメンタリーストリーム(ＰＥＳ：Packetized Elementary Stream)中に含まれる符号化された音声エレメンタリーストリーム(ＡＥＳ：Audio Elementary Stream)と映像エレメンタリーストリーム(ＶＥＳ：Video Elementary Stream)とが供給される。また聴対象ＡＶパケット分離部１０６の制御入力端子には、受信状況判定部１１８の出力からのワンセグ放送／フルセグ放送・選択信号が供給される。
【００５２】
受信状況判定部１１８の出力からワンセグ放送の選択が指示されている場合には、視聴対象ＡＶパケット分離部１０６はワンセグ放送のパケット化エレメンタリーストリーム(ＰＥＳ)の映像エレメンタリーストリーム(ＶＥＳ)と音声エレメンタリーストリーム(ＡＥＳ)とを分離して、映像復号部１０８と音声復号部１１０とにそれぞれ供給する。映像復号部１０８はワンセグ放送の圧縮された映像データを復号する一方、音声復号部１１０はワンセグ放送の圧縮された圧縮された音声データを復号して、表示部１０９は映像復号部１０８で復号された映像を表示する一方、音声出力部１１１は音声復号部１１０で復号された音声を出力するものである。
【００５３】
受信状況判定部１１８の出力からフルセグ放送の選択が指示されている場合には、視聴対象ＡＶパケット分離部１０６はフルセグ放送のパケット化エレメンタリーストリーム(ＰＥＳ)の映像エレメンタリーストリーム(ＶＥＳ)と音声エレメンタリーストリーム(ＡＥＳ)とを分離して、映像復号部１０８と音声復号部１１０とにそれぞれ供給する。映像復号部１０８はフルセグ放送の圧縮された映像データを復号する一方、音声復号部１１０はワンセグ放送の圧縮された圧縮された音声データを復号して、表示部１０９は映像復号部１０８で復号された映像を表示する一方、音声出力部１１１は音声復号部１１０で復号された音声を出力するものである。
【００５４】
《放送受信の自動切り換え》
図２は、図１に示した本発明の実施の形態１による放送受信機で実行されるフルセグ／ワンセグ放送受信の自動切り換え動作のフローを説明する図である。
【００５５】
図２に示す自動切り換え動作は、デジタル放送の受信開始ステップ６０１によって開始する。
【００５６】
受信開始ステップ６０１により、フルセグ放送もしくはワンセグ放送のデジタル放送の受信が開始される。
【００５７】
受信開始ステップ６０１の後、監視対象特定パケット設定ステップ６０４によってパケット受信取得間隔の監視対象とされる特定パケットの種類が設定される。この特定パケットとしては、例えば、番組関連情報パケットが設定されることができる。
【００５８】
ステップ６０４の後、放送ＴＳパケット受信ステップ６０６によってフルセグ放送もしくはワンセグ放送のデジタル放送波信号のトランスポートストリーム(ＴＳ)の受信パケットデータが受信される。
【００５９】
ステップ６０６の後、監視対象パケット照合ステップ６０７にてステップ６０６での受信パケットデータがステップ６０４で設定された監視対象の特定パケットであるか否かが判定される。受信パケットデータが監視対象の特定パケットではないと判定された場合にはステップ６０６に戻り、受信パケットデータが監視対象の特定パケットであると判定された場合には次のステップ６０８に移行する。
【００６０】
次のステップ６０８では、監視対象特定パケットの取得時間間隔が観測され保持されることによってその取得時間間隔が更新される。
【００６１】
ステップ６０８の後、ステップ６１５にて現時点での視聴対象がフルセグ放送であるか否かが判定される。ステップ６１５で現時点の視聴対象がフルセグ放送であると判定された場合にはステップ６０９に移行して、テップ６１５で現時点の視聴対象がフルセグ放送でないと判定された場合にはステップ６１６に移行する。
【００６２】
ステップ６０９では、フルセグ放送の特定パケットの取得間隔が間隔しきい値よりも長くなったか否かがと判定される。ステップ６０９でフルセグ放送の特定パケットの取得間隔が間隔しきい値よりも長くなっていないと判定された場合にはステップ６０６に戻り、フルセグ放送の特定パケットの取得間隔が間隔しきい値よりも長くなったと判定された場合にはステップ６１０に移行する。
【００６３】
ステップ６１０では、フルセグ放送の特定パケットの取得間隔が長く、フルセグ放送の受信状況が不良であるので、視聴対象のフルセグ放送からワンセグ放送への切り換えが実行される。
【００６４】
以前のステップ６１５で現時点の視聴対象がフルセグ放送でないと判定された場合には、ステップ６１６に移行する。ステップ６１６ではフルセグ放送の特定パケットの取得間隔が間隔しきい値よりも短くなったか否かが判定される。ステップ６１６でフルセグ放送の特定パケットの取得間隔が間隔しきい値よりも短くなったと判定された場合には、ステップ６１７に移行する。ステップ６１７では、フルセグ放送の特定パケットの取得間隔が短くフルセグ放送の受信状況が良好であるので、視聴対象のワンセグ放送からフルセグ放送への戻し切り換えが実行される。尚、ステップ６１６でフルセグ放送の特定パケットの取得間隔が間隔しきい値よりも短くなっていないと判定された場合には、ステップ６０６に戻る。
【００６５】
以上説明した図２に示した自動切り換え動作によれば、特定のパケットデータの取得状態を監視することによって、フルセグ放送およびワンセグ放送の受信状況を間接的に判断でき、適切なフルセグ放送／ワンセグ放送の自動切り換えを自動的に実行することが可能となる。すなわち、外乱に弱いフルセグ放送の受信不良を間接的に判定した場合には、外乱に強いワンセグ放送へ自動的に切り換えるものである。
【００６６】
図３は、図１に示した本発明の実施の形態１による放送受信機で実行されるフルセグ／ワンセグ放送受信の他の自動切り換え動作のフローを説明する図である。
【００６７】
図３に示す他の自動切り換え動作が図２に示した自動切り換え動作と相違するのは、図３の他の自動切り換え動作では監視対象とする特定パケットとして放送再生制御に関係する補助情報である番組マッピィングテーブル(ＰＭＴ：Program Mapping Table)を設定した点である。
【００６８】
従って、図２の自動切り換え動作での受信パケットデータが監視対象の特定パケットであるか否かを判定する監視対象パケット照合ステップ６０７は、図３の他の自動切り換え動作では監視対象として番組マッピィングテーブル(ＰＭＴ)のパケットであるか否かを判定するＰＭＴパケット照合ステップ６１２に置換されている。
【００６９】
更に、図２の自動切り換え動作での監視対象特定パケットの取得時間間隔を更新するステップ６０８は、図３の他の自動切り換え動作では監視対象としての番組マッピィングテーブル(ＰＭＴ)のパケットの取得時間間隔が観測され保持されることによってその取得時間間隔が更新されるステップ６１３に置換されている。
【００７０】
また、図２の自動切り換え動作でのフルセグ放送の特定パケットの取得間隔が間隔しきい値よりも長くなったか否かが判定されるステップ６０９は、図３の他の自動切り換え動作でフルセグ放送のＰＭＴパケットの取得間隔が間隔しきい値よりも長くなったか否かを判定するステップ６１８に置換されている。
【００７１】
また更に、図２の自動切り換え動作でフルセグ放送の特定パケットの取得間隔が間隔しきい値よりも短くなったか否かが判定されるステップ６１６は、図３の他の自動切り換え動作ではフルセグ放送のＰＭＴパケットの取得間隔が間隔しきい値よりも短くなったか否かが判定されるステップ６１９に置換されている。
【００７２】
以上説明した図３に示した他の自動切り換え動作によれば、放送再生制御に関係する補助情報の番組マッピィングテーブル(ＰＭＴ)の監視と取得間隔の更新とによって、フルセグ放送およびワンセグ放送の受信状況を間接的に判断でき、適切なフルセグ放送／ワンセグ放送の自動切り換えの自動的な実行が可能となる。
【００７３】
また、本実施の形態における特定パケットとしての番組マッピィングテーブル(ＰＭＴ)は、一例であって、これ以外の特定パケットとしては番組特定情報(ＰＳＩ：Program Specific Information)、番組関連テーブル(ＰＡＴ：Program Association Table)、ネットワーク情報テーブル(ＮＩＴ：Network Information Table)、番組基準クロック(ＰＣＲ：Program Clock Reference)等の情報を、監視対象の特定パケットとして設定することが可能である。これらの情報は、放送サービスの運用で送出周期が決定され、その受信周期の期待値が存在するものである。
【００７４】
《放送受信の自動切り換え》
図４は、図３に示した本発明の実施の形態１による他の自動切り換え動作での監視対象の特定パケットとしての一例である番組マッピィングテーブル(ＰＭＴ)の受信状況と取得間隔の更新の様子を示す図である。
【００７５】
図４では、フルセグ放送の番組マッピィングテーブル(ＰＭＴ)は通常１００ｍｓｅｃの周期で放送局より送出される一方、ワンセグ放送の番組マッピィングテーブル(ＰＭＴ)は通常２００ｍｓｅｃの周期で放送局より送出されるものとされている。
【００７６】
図４に示すように受信ＴＳパケットを順次受信・取得していくが、受信パケット中に監視対象の特定パケットのワンセグ(部分受信階層サービス)放送の番組マッピィングテーブル(ＰＭＴ)２０５が検出されると、その時点で監視対象のワンセグ放送の番組マッピィングテーブル(ＰＭＴ)の到来間隔値２１４を観測・保持する。この到来間隔値２１４の観測・保持によるＰＭＴの取得時間間隔の更新は、図３の他の自動切り換え動作のステップ６１３で実行される。
【００７７】
次に、監視対象の特定パケットとしてフルセグ(固定受信階層サービス) 放送の番組マッピィングテーブル(ＰＭＴ)２０６が検出されると、その時点で監視対象のフルセグ放送の番組マッピィングテーブル(ＰＭＴ)の到来間隔値２１５を観測・保持する。この到来間隔値２１５の観測・保持によるＰＭＴの取得時間間隔の更新も、図３の他の自動切り換え動作のステップ６１３で実行される。
【００７８】
その後、同様に、フルセグ(固定受信階層サービス)放送の番組マッピィングテーブル(ＰＭＴ)２０８が検出されると、その時点で監視対象のワンセグ放送の番組マッピィングテーブル(ＰＭＴ)の到来間隔値２１６を観測・保持する。同様にこの到来間隔値２１６の観測・保持によるＰＭＴの取得時間間隔の更新も、図３の他の自動切り換え動作のステップ６１３で実行される。
【００７９】
また、ワンセグ(部分受信階層サービス)放送の番組マッピィングテーブル(ＰＭＴ)２０９が検出されると、その時点で監視対象のワンセグ放送の番組マッピィングテーブル(ＰＭＴ)の到来間隔値２１７を観測・保持する。同様にこの到来間隔値２１７の観測・保持によるＰＭＴの取得時間間隔の更新も、図３の他の自動切り換え動作のステップ６１３で実行される。
【００８０】
更に、フルセグ(固定受信階層サービス)放送の番組マッピィングテーブル(ＰＭＴ)２１０が検出されると、その時点で監視対象のフルセグ放送の番組マッピィングテーブル(ＰＭＴ)の到来間隔値２１８を観測・保持する。同様にこの到来間隔値２１８の観測・保持によるＰＭＴの取得時間間隔の更新も、図３の他の自動切り換え動作のステップ６１３で実行される。
【００８１】
図４では、結果的に、フルセグ放送の番組マッピィングテーブル(ＰＭＴ)に関しては、１００ｍｓｅｃの到来間隔２１２と１００ｍｓｅｃの到来間隔２１３の２度の監視対象の特定パケットが観測され、ワンセグ放送の番組マッピィングテーブル(ＰＭＴ)に関しては、２００ｍｓｅｃの到来間隔２１１の１度の監視対象の特定パケットが観測されることになる。
【００８２】
図６は、図３と図４に示す本発明の実施の形態１で監視対象の特定パケットを番組マッピィングテーブル(ＰＭＴ)とした場合の視聴対象をフルセグ放送とワンセグ放送との間で切り換える様子を示す図である。
【００８３】
図６(Ａ)において、ワンセグ放送のＰＭＴ２２５とフルセグ放送のＰＭＴ２２６が受信され、その時点で直近前回の取得からの間隔が測定される。ワンセグ放送のＰＭＴ２２５は通常は２３３ｍｓｅｃの間隔で、フルセグ放送のＰＭＴ２２６は通常１００ｍｓｅｃの間隔で受信取得されている。図６(Ａ)はフルセグ放送のＰＭＴ２２６が途中から受信不能となった場合を示し、フルセグ放送のＰＭＴの到来期待時点２２４にて、４００ｍｓｅｃ期間フルセグ放送のＰＭＴが取得できていないことが判明する。この時点で、視聴対象選択判定２２７がフルセグ放送からワンセグ放送へ自動的に切り換えられる。図６(Ａ)の例では、フルセグ放送からワンセグ放送への切り換えの間隔しきい値は、フルセグ放送のＰＭＴの通常の周期１００ｍｓｅｃ間隔の4倍に相当する４００ｍｓｅｃとしたものである。
【００８４】
次に、図６(Ｂ)では、フルセグ放送のＰＭＴ２３０だけでなくワンセグ放送のＰＭＴ２２９も、途中から受信不能となった場合である。この場合には、ワンセグ放送のＰＭＴの到来期待時点２２８にて、４６６ｍｓｅｃ期間フルセグ放送のＰＭＴが取得できていないことが判明する。従って、外乱に強いワンセグ放送でさえ、受信取得に支障がある状況では、これ以上切り換え先は存在しない。従って視聴対象選択判定２３１としては、ワンセグ放送から他の放送への切り換えは実行されない。
【００８５】
更に、図６(Ｃ)では、視聴対象がワンセグ放送となっている状態で、フルセグ放送の受信状況が途中から良好な受信状態に戻った場合を示している。ワンセグ放送のＰＭＴ２３３の良好な受信状態が継続され、フルセグ放送のＰＭＴ２２６はそれまで受信不能だったものが途中から通常の周期１００ｍｓｅｃの間隔で取得され始める。フルセグＰＭＴの到来時点２３２にて、フルセグＰＭＴが２回連続で通常の周期１００ｍｓｅｃの間隔で、受信取得されたことになる。この時点で、視聴対象選択判定２３５がフルセグ放送の受信状況の回復を判定して、ワンセグ放送からフルセグ放送へ自動的に切り換えられる。この図６(Ｃ)の例では、ワンセグ放送からフルセグ放送への切り換え動作の異常な反復を回避するために、フルセグ放送のＰＭＴの通常の周期１００ｍｓｅｃの間隔での受信取得の２連続達成を、切り換えの条件としたものである。
【００８６】
このようにして、監視対象の特定パケットとして番組マッピィングテーブル(ＰＭＴ)のパケットデータの取得状態を監視することによって、フルセグ放送およびワンセグ放送の受信状況を間接的に判断でき、適切なフルセグ放送／ワンセグ放送の自動切り換えを自動的に実行可能となる。すなわち、外乱に弱いフルセグ放送の受信不良を間接的に判定した場合には、外乱に強いワンセグ放送へ自動的に切り換えるものである。
【００８７】
〔実施の形態２〕
《他の放送受信機の構成》
図５は、本発明の実施の形態２による他の放送受信機の構成を示す図である。
【００８８】
図５に示す他の放送受信機が図１に示した放送受信機と相違するのは、図５では監視対象の特定パケットとして番組マッピィングテーブル(ＰＭＴ：Program Mapping Table)ではなく番組特定情報(ＰＳＩ：Program Specific Information)を設定した点である。
【００８９】
従って、図１に示した放送受信機のワンセグ特定パケット分離部１１４とワンセグ特定パケット取得間隔測定部１１５は、図５に示す他の放送受信機のワンセグＰＳＩパケット分離部１１９とワンセグＰＳＩパケット取得間隔測定部１２０にそれぞれ置換されている。また、図１に示した放送受信機のフルセグ特定パケット分離部１１６とフルセグ特定パケット取得間隔測定部１１７は、図５に示す他の放送受信機のフルセグＰＳＩパケット分離部１２１とフルセグＰＳＩパケット取得間隔測定部１２２にそれぞれ置換されている。
【００９０】
以上説明した図５に示した本発明の実施の形態２による他の放送受信機によれば、図１に示した本発明の実施の形態１による放送受信機と同様に、監視対象の特定パケットとして番組特定情報(ＰＳＩ)のパケットデータの取得状態を監視することによって、フルセグ放送およびワンセグ放送の受信状況を間接的に判断でき、適切なフルセグ放送／ワンセグ放送の自動切り換えを自動的に実行することが可能となる。すなわち、外乱に弱いフルセグ放送の受信不良を間接的に判定した場合には、外乱に強いワンセグ放送へ自動的に切り換えるものである。
【００９１】
以上、本発明者によってなされた発明を種々の実施の形態に基づいて具体的に説明したが、本発明はそれに限定されるものではなく、その要旨を逸脱しない範囲において種々変更可能であることは言うまでもない。
【００９２】
例えば、図１に示した放送受信機の制御部１０１中に含まれる特定パケット分離部１１４、１１６、特定パケット取得間隔測定部１１５、１１７、ＡＶパケット分離部１０６、切り換え制御部１１３、判定部１１８および映像復号部１０８、音声復号部１１０は、半導体集積回路の半導体チップに集積化が可能である。
【符号の説明】
【００９３】
１０３…放送受信用アンテナ
１０４…放送選局部
１０１…制御部
１０５…記憶部
１０２…操作部
１０８…映像復号部
１０９…表示部
１１０…音声復号部
１１１…音声出力部
１１４…ワンセグ特定パケット分離部
１１５…ワンセグ特定パケット取得間隔測定部
１１６…フルセグ特定パケット分離部
１１７…フルセグ特定パケット取得間隔測定部
１０６…視聴対象ＡＶパケット分離部
１１３…視聴対象切り換え制御部
１１８…受信状況判定部
【図１】
2010283479.tif 000003
【図２】
2010283479.tif 000004
【図３】
2010283479.tif 000005
【図４】
2010283479.tif 000006
【図５】
2010283479.tif 000007
【図６】
2010283479.tif 000008